【手続補正書】
【提出日】平成17年4月14日(2005.4.14)
【手続補正１】
【補正対象書類名】明細書
【補正対象項目名】特許請求の範囲
【補正方法】変更
【補正の内容】
【特許請求の範囲】
【請求項１】
音響機器が装着された本体ケースに対して操作部が着脱可能な車載用音響装置であって、
前記操作部を挿入可能な開口部を有する操作部カバーを前記本体ケースの前面部に取り付け、前記操作部の両側面のそれぞれに略円形状の突起部を形成し、且つ前記操作部の両側面のそれぞれに前記操作部を前記操作部カバーにロックするためのロック機構部を形成し、前記操作部カバーの両側面のそれぞれの前記操作部に形成された前記突起部と対向する位置に前記突起部と嵌合するとともに前記突起部が回動自在な略円形状の丸穴部を形成し、且つ前記操作部カバーの両側面のそれぞれの前記操作部に形成された前記ロック機構部と対向する位置に前記突起部が回動したときに前記ロック機構部と嵌合するロック穴部を形成し、前記操作部に形成された突起部は、円柱体からなり、該円柱体の円形部分が、直径サイズからなる円形長手部と、前記直径サイズよりも短いサイズからなる短部とからなり、前記操作部カバーに形成された丸穴部は、前記突起部に形成された前記短部を挿入可能な挿入部と、この挿入部に前記短部が挿入された後に前記突起部に形成された前記円形長手部と嵌合する円形部と、を有することを特徴とする車載用音響装置。
【請求項２】
前記ロック機構部は、前記操作部カバーに形成された前記ロック穴部に嵌合するロックボタンと、
このロックボタンの前記ロック穴部への嵌合を解除する解除ボタンと、
を有し、
前記操作部カバーの前記解除ボタンと対向する位置に前記解除ボタンと嵌合する解除穴部が形成されていることを特徴とする請求項１記載の車載用音響装置。
【請求項３】
前記ロック機構部が前記操作部の内側に移動可能となるように前記ロック機構部の周辺の前記操作部に略Ｃ字状の穴部が形成されていることを特徴とする請求項２記載の車載用音響装置。
【請求項４】
接続コネクタを取り付けた操作基板を前記操作部に設け、且つ受け側コネクタを取り付けた本体基板を前記操作部カバーに設け、前記操作部を前記操作部カバーに取り付けたときに前記操作部に設けられた前記接続コネクタが前記操作部カバーに設けられた前記受け側コネクタと接続可能となるように前記接続コネクタ及び前記受け側コネクタを配置したことを特徴とする請求項１記載の車載用音響装置。
【請求項５】
前記受け側コネクタは、一列に並んだ複数の受け側端子を有し、各受け側端子は、平坦部と、この平坦部に対して所定角度をなす曲部とを有し、
前記操作部を前記操作部カバーに取り付けたときに前記接続コネクタの各端子が前記受け側コネクタの各平坦部と接続されることを特徴とする請求項４記載の車載用音響装置。
【手続補正２】
【補正対象書類名】明細書
【補正対象項目名】００１４
【補正方法】変更
【補正の内容】
【００１４】
【課題を解決するための手段】
音響機器が装着された本体ケースに対して操作部が着脱可能な車載用音響装置であって、前記操作部を挿入可能な開口部を有する操作部カバーを前記本体ケースの前面部に取り付け、前記操作部の両側面のそれぞれに略円形状の突起部を形成し、且つ前記操作部の両側面のそれぞれに前記操作部を前記操作部カバーにロックするためのロック機構部を形成し、前記操作部カバーの両側面のそれぞれの前記操作部に形成された前記突起部と対向する位置に前記突起部と嵌合するとともに前記突起部が回動自在な略円形状の丸穴部を形成し、且つ前記操作部カバーの両側面のそれぞれの前記操作部に形成された前記ロック機構部と対向する位置に前記突起部が回動したときに前記ロック機構部と嵌合するロック穴部を形成し、前記操作部に形成された突起部は、円柱体からなり、該円柱体の円形部分が、直径サイズからなる円形長手部と、前記直径サイズよりも短いサイズからなる短部とからなり、前記操作部カバーに形成された丸穴部は、前記突起部に形成された前記短部を挿入可能な挿入部と、この挿入部に前記短部が挿入された後に前記突起部に形成された前記円形長手部と嵌合する円形部と、を有することを特徴とする。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
また、操作部を操作部カバーに取り付けるときには、まず、操作部に形成された突起部の短部を、操作部カバーに形成された丸穴部の挿入部から挿入し、挿入部に短部が挿入された後に突起部に形成された円形長手部を、操作部カバーに形成された丸穴部の円形部に嵌合させる。そして、円形部に挿入された突起部を中心として操作部を回転動作させると、突起部は、丸穴部を飛び出なくなる。すなわち、操作部が操作部カバーから外れることがなくなる。
【手続補正５】
【補正対象書類名】明細書
【補正対象項目名】００１９
【補正方法】変更
【補正の内容】
【００１９】
請求項２の発明のように、前記ロック機構部は、前記操作部カバーに形成された前記ロック穴部に嵌合するロックボタンと、このロックボタンの前記ロック穴部への嵌合を解除する解除ボタンとを有し、前記操作部カバーの前記解除ボタンと対向する位置に前記解除ボタンと嵌合する解除穴部が形成されていることを特徴とする。
【手続補正６】
【補正対象書類名】明細書
【補正対象項目名】００２０
【補正方法】変更
【補正の内容】
【００２０】
請求項２の発明によれば、ロック時には、ロックボタンが操作部カバーに形成されたロック穴部に嵌合されることでロックされ、解除ボタンが解除穴部に嵌合される。また、ロック解除時には、解除ボタンを押すことで、解除ボタンが解除穴部から外れるとともに、ロックボタンのロック穴部への嵌合が解除される。
【手続補正７】
【補正対象書類名】明細書
【補正対象項目名】００２１
【補正方法】変更
【補正の内容】
【００２１】
請求項３の発明は、前記ロック機構部が前記操作部の内側に移動可能となるように前記ロック機構部の周辺の前記操作部に略Ｃ字状の穴部が形成されていることを特徴とする。
【手続補正８】
【補正対象書類名】明細書
【補正対象項目名】００２２
【補正方法】変更
【補正の内容】
【００２２】
請求項３の発明によれば、ロック機構部の周辺の操作部に略Ｃ字状の穴部が形成されているため、ロック時にはロック機構部が操作部の内側に移動し、ロックボタンがロック穴部に達すると、ロック機構部が元の位置に戻り、ロック穴部と嵌合する。また、ロック解除時には、解除ボタンを押すと、ロック機構部が操作部の内側に移動して、ロックボタンのロック穴部へのロックが解除される。
【手続補正９】
【補正対象書類名】明細書
【補正対象項目名】００２３
【補正方法】変更
【補正の内容】
【００２３】
請求項４の発明は、接続コネクタを取り付けた操作基板を前記操作部に設け、且つ受け側コネクタを取り付けた本体基板を前記操作部カバーに設け、前記操作部を前記操作部カバーに取り付けたときに前記操作部に設けられた前記接続コネクタが前記操作部カバーに設けられた前記受け側コネクタと接続可能となるように前記接続コネクタ及び前記受け側コネクタを配置したことを特徴とする。
【手続補正１０】
【補正対象書類名】明細書
【補正対象項目名】００２４
【補正方法】変更
【補正の内容】
【００２４】
請求項４の発明によれば、操作部を操作部カバーに取り付けたときに操作部に設けられた接続コネクタが操作部カバーに設けられた受け側コネクタと接続可能となるため、本体基板と操作基板とを確実に接続することができる。
【手続補正１１】
【補正対象書類名】明細書
【補正対象項目名】００２５
【補正方法】変更
【補正の内容】
【００２５】
請求項５の発明のように、前記受け側コネクタは、一列に並んだ複数の受け側端子を有し、各受け側端子は、平坦部と、この平坦部に対して所定角度をなす曲部とを有し、前記操作部を前記操作部カバーに取り付けたときに前記接続コネクタの各端子が前記受け側コネクタの各平坦部と接続されることを特徴とする。
【手続補正１２】
【補正対象書類名】明細書
【補正対象項目名】００２６
【補正方法】変更
【補正の内容】
【００２６】
請求項５の発明によれば、操作部を操作部カバーに取り付けたときに、接続コネクタの各端子が受け側コネクタの各平坦部と接続されることにより、本体基板と操作基板とを確実に接続することができる。
【手続補正１３】
【補正対象書類名】明細書
【補正対象項目名】００６７
【補正方法】削除
【補正の内容】
【手続補正１４】
【補正対象書類名】明細書
【補正対象項目名】００６８
【補正方法】変更
【補正の内容】
【００６８】
請求項２の発明によれば、ロック時には、ロックボタンが操作部カバーに形成されたロック穴部に嵌合されることでロックされ、解除ボタンが解除穴部に嵌合される。また、ロック解除時には、解除ボタンを押すことで、解除ボタンが解除穴部から外れるとともに、ロックボタンのロック穴部への嵌合が解除される。
【手続補正１５】
【補正対象書類名】明細書
【補正対象項目名】００６９
【補正方法】変更
【補正の内容】
【００６９】
請求項３の発明によれば、ロック機構部の周辺の操作部に略Ｃ字状の穴部が形成されているため、ロック時にはロック機構部が操作部の内側に移動し、ロックボタンがロック穴部に達すると、ロック機構部が元の位置に戻り、ロック穴部と嵌合する。また、ロック解除時には、解除ボタンを押すと、ロック機構部が操作部の内側に移動して、ロックボタンのロック穴部へのロックが解除される。
【手続補正１６】
【補正対象書類名】明細書
【補正対象項目名】００７０
【補正方法】変更
【補正の内容】
【００７０】
請求項４の発明によれば、操作部を操作部カバーに取り付けたときに操作部に設けられた接続コネクタが操作部カバーに設けられた受け側コネクタと接続可能となるため、本体基板と操作基板とを確実に接続することができる。
【手続補正１７】
【補正対象書類名】明細書
【補正対象項目名】００７１
【補正方法】変更
【補正の内容】
【００７１】
請求項５の発明によれば、操作部を操作部カバーに取り付けたときに、接続コネクタの各端子が受け側コネクタの各平坦部と接続されることにより、本体基板と操作基板とを確実に接続することができる。